(57)【要約】【課題】  既存の供給装置によって円滑に供給できるものでありながら、カプセル自体をブロックおもちゃとして利用できるようにすることを目的とする。さらに本発明は、内部に収容するブロックおもちゃと組み合わせて遊ぶことができるカプセルを提供する。【解決手段】  一対の半球殻状部品２，３を結合することにより内部に収容空間が形成されるとともに外表面が球状面となる球殻状の遊具用カプセル１であって、各半球殻状部品２，３は、半球の頂部に平坦な結合面４が形成された外表面を有する本体部２ａ，３ａと、該本体部２ａ，３ａの結合面４に着脱可能に取り付けられるカバー２ｂ，３ｂとを備え、該カバー２ｂ、３ｂの外表面は、本体部２ａ，３ａの結合面４を除く半球状外表面に連続する曲面とされ、カバー２ｂ，３ｂを取り付けた状態ではカバーの外表面と本体部の結合面を除く半球状外表面とによって半球殻状部品の外表面が球状面となされるように構成する。【選択図】  図１
2008036348.tif 000002
【特許請求の範囲】
【請求項１】
一対の半球殻状部品を結合することにより内部に収容空間が形成されるとともに外表面が球状面となる球殻状の遊具用カプセルであって、各半球殻状部品は、半球の頂部に平坦な結合面が形成された外表面を有する本体部と、該本体部の結合面に着脱可能に取り付けられるカバーとを備え、該カバーの外表面は、本体部の結合面を除く半球状外表面に連続する曲面とされ、カバーを取り付けた状態ではカバーの外表面と本体部の結合面を除く半球状外表面とによって半球殻状部品の外表面が球状面となされるように構成されていることを特徴とする遊具用カプセル。
【請求項２】
請求項１に記載の遊具用カプセルにおいて、一方の半球殻状部品の本体部の結合面には第１の取付凹部が設けられ、該一方の半球殻状部品のカバーには前記第１の取付凹部に嵌合する第１の取付凸部が設けられ、他方の半球殻状部品の本体部の結合面には第２の取付凸部が設けられ、該他方の半球殻状部品のカバーには前記第２の取付凸部に嵌合する第２の取付凹部が設けられ、
複数の遊具用カプセルをそのカバーを取り外した状態で上下に結合し得るように、一方の半球殻状部品の本体部に設けた第１の取付凹部と、他方の半球殻状部品の本体部に設けた第２の取付凸部とが嵌合可能とされていることを特徴とする遊具用カプセル。
【請求項３】
一側面に嵌合凸部が形成され他側面に前記嵌合凸部に嵌合可能な嵌合凹部が形成されたブロックおもちゃが内部に収容される請求項１又は２に記載の遊具用カプセルであって、第１の取付凹部はブロックおもちゃの嵌合凸部に嵌合可能であり、第２の取付凸部はブロックおもちゃの嵌合凹部に嵌合可能であることを特徴とする遊具用カプセル。
【発明の詳細な説明】
【技術分野】
【０００１】
本願発明は、おもちゃやキーホルダーなどを収容するカプセルであって、特に、それ自体遊具として使用可能なカプセルに関する。
【背景技術】
【０００２】
おもちゃ売り場やスーパーなどに広く設置されているガチャポン（株式会社バンダイの登録商標）は、特許文献１にも示されるように、球乃至卵形の球殻状のカプセル内にキーホルダーやブロックおもちゃなどを収容し、そのカプセルを多数供給装置内に収容して、一定額のコインの投入によってカプセルが一つずつ供給されるようになっている。
【特許文献１】特開２００３−３４６２３７号公報
【発明の開示】
【発明が解決しようとする課題】
【０００３】
ガチャポンのカプセルは、円滑に供給装置の排出口に供給されるように、その外表面は円滑な球面とされる必要がある。
【０００４】
一方で、子どもはその自由奔放な発想によって、カプセル自体をもおもちゃとして遊ぶこともあり、子どもの創作力や発想力を一層刺激するためにカプセル自体を自由な形状に設計できるようにすることが要望されているが、カプセル外表面に平坦な面が存在すると供給装置内での詰まりなどが懸念される。
【０００５】
そこで、本発明は、既存の供給装置によって円滑に供給できるものでありながら、カプセル自体をブロックおもちゃとして利用できるようにすることを目的とする。さらに本発明は、内部に収容するブロックおもちゃと組み合わせて遊ぶことができるカプセルを提供することを目的とする。
【課題を解決するための手段】
【０００６】
本願出願人は、上記課題を解決する手段として、下記の種々の発明を開示する。
【０００７】
本発明の遊具用カプセルは、一対の半球殻状部品を結合することにより内部に収容空間が形成されるとともに外表面が球状面となる球殻状の遊具用カプセルであって、各半球殻状部品は、半球の頂部に平坦な結合面が形成された外表面を有する本体部と、該本体部の結合面に着脱可能に取り付けられるカバーとを備え、該カバーの外表面は、本体部の結合面を除く半球状外表面に連続する曲面とされ、カバーを取り付けた状態ではカバーの外表面と本体部の結合面を除く半球状外表面とによって半球殻状部品の外表面が球状面となされるように構成されていることを特徴とするものである。これによれば、カバーが取り付けられた状態ではカプセルの外表面が球面状となされるため、カプセル供給装置内でカプセルが詰まることが防止され、円滑にカプセルを供給できる。しかも、カバーを取り外せば天面並びに底面に結合面による平坦面が形成されるため、複数のカプセルを積み上げて遊ぶことができる。なお、本発明において、「球面状」は完全な球面の他、卵形の球面なども含むものとする。
【０００８】
上記本発明の遊具用カプセルにおいて、一方の半球殻状部品の本体部の結合面には第１の取付凹部が設けられ、該一方の半球殻状部品のカバーには前記第１の取付凹部に嵌合する第１の取付凸部が設けられ、他方の半球殻状部品の本体部の結合面には第２の取付凸部が設けられ、該他方の半球殻状部品のカバーには前記第２の取付凸部に嵌合する第２の取付凹部が設けられたものとすることができる。さらに、複数の遊具用カプセルをそのカバーを取り外した状態で上下に結合し得るように、一方の半球殻状部品の本体部に設けた第１の取付凹部と、他方の半球殻状部品の本体部に設けた第２の取付凸部とが嵌合可能とされているものとするのが好ましい。これによれば、本来は収容容器であるカプセル自体を、ブロックおもちゃとして使用できる。
【０００９】
また、本発明の遊具用カプセルは、一側面に嵌合凸部が形成され他側面に前記嵌合凸部に嵌合可能な嵌合凹部が形成されたブロックおもちゃが内部に収容されるものであってよい。この場合、第１の取付凹部はブロックおもちゃの嵌合凸部に嵌合可能であり、第２の取付凸部はブロックおもちゃの嵌合凹部に嵌合可能であるものとするのが好ましい。これによれば、内部に収容されたブロックおもちゃとカプセルを用いて、多彩なブロック遊びが可能である。
【発明を実施するための最良の形態】
【００１０】
以下、本発明の実施の形態を図面に基づいて説明する。
【００１１】
図１は、本発明の一実施形態に係る遊具用カプセル１の断面図であって、該カプセル１は、一対の半球殻状部品２，３を結合することにより内部に収容空間が形成されるとともに外表面が球状面となる球殻状のカプセルである。
【００１２】
各半球殻状部品２，３は、半球の頂部に平坦な結合面４が形成された外表面を有する硬質樹脂性の本体部２ａ，３ａと、該本体部２ａ，３ａの結合面に着脱可能に取り付けられるカバー２ｂ、３ｂとを備えている。本体部２ａ，３ａは透明乃至半透明であることが好ましいが、不透明であってもよい。本体部２ａ，３ａの開口端部は、互いにインロー嵌合されている。なお、ねじ嵌合されていても良い。
【００１３】
前記カバー２ｂ、３ｂはほぼ椀状であって、その外表面は、本体部２ａ，３ａの結合面４を除く半球状外表面５に連続する曲面とされ、カバー２ｂ、３ｂを取り付けた状態ではカバー２ｂ，３ｂの外表面６と本体部２ａ，３ａの結合面を除く半球状外表面５とによって半球殻状部品２，３の外表面が球状面となされるように構成されている。
【００１４】
また、図１において下方の半球殻状部品２の本体部２ａの結合面４には第１の取付凹部６が設けられている。該取付凹部６の数や形状は特に限定されるものではないが、本実施例では、周方向４カ所に凹部６を配設しており、各凹部６は断面正六角形状に形成している。下方の半球殻状部品２のカバー２ｂの裏面には、取付凹部６に嵌合する第１の取付凸部７が突設されている。該凸部７は、図２にも示すように４つの凹部６に対応して４カ所に配設されている。
【００１５】
上方の半球殻状部品３の本体部３ａの結合面４には第２の取付凸部８が設けられ、該他方の半球殻状部品３のカバー３ｂには第２の取付凸部８に嵌合する第２の取付凹部９が設けられている（図３参照）。これら第２の取付凸部８及び取付凹部９の数や形状も特に限定されるものではないが、本実施例では、第１の取付凸部７及び凹部６に対応する位置に同数設けられており、これにより、複数の遊具用カプセル１をそのカバー２ｂ，３ｂを取り外した状態で上下に結合し得るように、一方の半球殻状部品２の本体部２ａに設けた第１の取付凹部６と、他方の半球殻状部品３の本体部３ａに設けた第２の取付凸部８とが嵌合可能となされている。
【００１６】
さらに、このカプセルの内部にはブロックおもちゃ１０を収容可能であり、該おもちゃ１０には、上側側面に嵌合凸部１１が形成され下側側面に前記嵌合凸部１１に嵌合可能な嵌合凹部１２が形成されている。これら嵌合凸部１１並びに嵌合凹部１２の数や形状は、上記したカプセル本体の凸部８や凹部６に合致するように形成されており、これによって、第１の取付凹部６はブロックおもちゃの嵌合凸部１１に嵌合可能であり、第２の取付凸部８はブロックおもちゃの嵌合凹部１２に嵌合可能である。かかる構成により、図４に示すように、カプセル１と、その内部に収容されるブロックおもちゃ１０とを組み合わせてブロック遊びをすることができる。
【図面の簡単な説明】
【００１７】
【図１】本発明の一実施形態に係る遊具用カプセルの断面図。
【図２】下側のカバーの平面図。
【図３】上側のカバーの底面図。
【図４】カプセルとブロックおもちゃとを結合した状態の一部破断正面図。
【符号の説明】
【００１８】
１    遊具用カプセル
２    半球殻状部品
３    半球殻状部品
４    結合面
６    第１の取付凹部
７    第１の取付凸部
８    第２の取付凸部
９    第２の取付凹部
１０    ブロックおもちゃ
１１    嵌合凸部
１２    嵌合凹部
【図１】
2008036348.tif 000003
【図２】
2008036348.tif 000004
【図３】
2008036348.tif 000005
【図４】
2008036348.tif 000006